(57)【要約】【課題】  水タンクに空気ポンプを接続し、空気の圧力で水タンクに接続したノズルから水を噴出させる携帯用おしり洗浄器を提供する。【解決手段】  水タンクの一端に空気注入用ポンプを設け、このポンプで注入した空気を水タンク内に圧縮し蓄えて、水タンクの一部に設けたスイッチを操作することにより、他一端に設けた噴水用ノズルの先端から、空気の圧力を利用して水を噴出させることを特徴とする、手動空気圧縮式携帯用おしり洗浄器。さらに、適所に抗菌素材を使用することで衛生面での安全性も確保する。【選択図】  図１
2005177429.tif 000002
【特許請求の範囲】
【請求項１】
水タンクに空気注入用のポンプを接続し、このポンプで注入した空気を前記水タンク内に圧縮し蓄えて、本体に設けられたスイッチを操作することにより、水タンクに接続した収納式噴水ノズルの先端から、空気の圧力を利用して水を噴射させることを特徴とする、折りたたみ式携帯電話型手動空気圧縮式携帯用おしり洗浄器。
【請求項２】
請求項１の水タンクを１つにした、手動空気圧縮式携帯用おしり洗浄器。
【発明の詳細な説明】
【技術分野】
【０００１】  この発明は、水タンクに空気ポンプを接続し、さらに水タンクに接続したノズルから空気の圧力で水を噴出させる携帯用おしり洗浄器に関するものである。
【背景技術】
【０００２】  従来の、携帯用おしり洗浄器は、乾電池を電源としてモーターを駆動させ、タンクに蓄えた水を噴出させるものであった。
【発明の開示】
【発明が解決しようとする課題】
【０００３】  そのために次のような問題点があった。
乾電池がなくなると使用できなくなり、乾電池購入代金と乾電池の入れ替えの手間がかかる。また、乾電池とモーターを使用するので、重量が重くかさばるもので、常時持ち歩くことが不便であった。
本発明は、以上の問題点を解決しようとするのである。
【課題を解決するための手段】
【０００４】  水タンクに接続する空気ポンプを設け、このポンプで水タンクに空気を送り、その空気を適度に圧縮、蓄え、噴水スイッチを操作することによりその空気の圧力を利用して噴水口から水を噴出させる。以上を特徴とする手動空気圧縮式携帯用おしり洗浄器である。
【発明の効果】
【０００５】  ポンプを手動式にしたことで、重量を大幅に軽減でき、小型化が実現した。圧縮した空気で水を噴出させることで、スイッチ操作で一定時間連続して水の噴出が可能となった。また、携帯電話タイプにしたことで、デザイン的にも優れ携行時にもおしり洗浄器であることがわかりにくく、男女年齢を問わず、誰が携帯しても違和感無く使用することができるものとなった。モーターも乾電池も使用しないので本体全体を容易に洗うことができ、衛生的にも安心して使用できるようになり、且つ電子部品を使用しないので製造コストも大幅に削減された。
なお、本発明を使用することで、紙の使用量を軽減でき紙資源の節約にも貢献が可能となる。
【発明を実施するための最良の形態】
【０００６】  以下、本発明の実施の形態を説明する。
本発明は、先ず全体の形態を、上下折りたたみ式の携帯電話の形態を模した構造とするものである。図１は、本発明の一実施例を展開した状態を示すが、図１の上側が水タンクＡ（２）と空気ポンプ（１３）と噴水スイッチ（２２）を有する本体Ａ（１）を示し、図下側が水タンクＢ（２５）と噴水ノズル（２６）と開閉バー（３６）を有する本体Ｂ（２４）を示す。
本体Ａ（１）の構造。
（イ）本体Ａ（１）のほぼ中央に水タンクＡ（２）を設け、この上部にネジ式の注水口（３）を設け、さらに注水口（３）にキャップ（４）を螺着する。
（ロ）水タンクＡ（２）の正面右側に簡易ピストン型空気ポンプの筒状スペース（５）を設ける。
（ハ）この筒状スペース（５）は、携帯電話におけるアンテナ部分に見立てたポンプつまみ部分（６）の押圧により、前記水タンクＡ（２）内に外気を注入し、タンク内の水を噴出させる空気ポンプ（１３）を装着させる部分となる。
（ニ）前記空気ポンプ（１３）は、先端にゴムパッキン（７）を設けた円柱状又は直方体状のポンプ支柱（８）と、前記筒状スペース外側下部に開口させた空気取り入れ口（９）と、これに繋がる空気逆流防止弁（１０）及び前記筒状スペースの内側であって、前記水タンクＡ（２）との接点であるその下部に水逆流防止弁（１１）と空気注入口（１２）とを設ける。また、前記ポンプ支柱（８）の上端には、筒状スペース（５）から突出するように、携帯電話のアンテナの形態を模したポンプつまみ部分が形成されている。
（ホ）次に、水タンクＡ（２）の正面左側に噴水スイッチ筒状スペース（１４）を設ける。
（ヘ）この噴水スイッチ筒状スペース（１４）は、本体Ｂ（２４）へ噴水指示を伝える噴水スイッチ（２２）を装着する部分となる。
（ト）この筒状スペース（１４）には、飛出防止ストッパー（１５）を設けた円柱状又は直方体状のスイッチバーＡ（１６）と、このスイッチバーＡの軌道を安定させるガイド部（１７）を設け、さらに前記筒状スペースの最下部に前記スイッチバーＡが本体Ａ（１）を通り抜ける大きさ及び形状の開口部Ａ（１８）を設ける。また、スイッチバーＡ（１６）の上端には、筒状スペース（１４）から突出する部分にコイルバネ（１９）とバネカバー（２０）を通したスイッチボタン（２１）が形成されている。
（チ）本休Ａ（１）の表面に、水タンクＡ（２）内の水位を確認できるよう水位確認用窓（２３）を設ける（図２参照）、又は一部又は全部に透明素材を用いて代用する。【０００７】  次に本体Ｂ（２４）の構造について説明する。
（リ）本体Ｂ（２４）のほぼ中央に水タンクＢ（２５）を設け、この水タンクＢ（２５）の正面右側に、水を噴出する部分となる噴水ノズル（２６）及び噴水ノズルの収納スペース（２７）を設ける。
（ヌ）噴水ノズル（２６）は、前記収納スペース（２７）に回転して収納できるよう接続部（２８）は円筒形とし、ゴムパッキン（２９）を用いた円筒形の接続管（３０）と繋ぎ、さらに、水タンクＢ（２５）に接続するチューブ管（３１）と繋ぐ。また噴水ノズル（２６）の内部は、筒状の空洞とし、水を噴出させる先端には任意の数及び大きさ及び形状の穴をあけた噴水口（３２）を設ける。
（ル）次に水タンクＢ（２５）の正面左側にスイッチバーＢ筒状スペース（３３）を設ける。
（ヲ）この筒状スペース（３３）には、スイッチバーＢ（３４）とスイッチバーＢの軌道を安定させるガイド部（３５）及びスイッチバーＢと連結する開閉バー（３６）の上下を調整するコイルバネ（３７）を設ける部分となる。
（ワ）前記筒状スペースの最上部に開口部Ａ（１８）と同等の開口部Ｂ（３８）を設ける。本体Ａ（１）のスイッチボタン（２１）を押すと、これに繋がるスイッチバーＡ（１６）が開口部Ａ（１８）及び開口部Ｂ（３８）を通り抜け、円柱状又は直方体状のスイッチバーＢ（３４）を押し下げる。すると連結支点（３９）を介してスイッチバーＢに連結する開閉バー（３６）の先端部（４０）は、固定支点（４１）を介して上方向に押し上げられ、開閉バーの先端部（４０）と本体Ｂ（２４）に設けた突起部（４２）で挟み込まれ、閉塞していた柔軟な素材のチューブ管（３１）を開放し、水を通過させる。
（カ）また前記スイッチボタン（２１）を離すと、スイッチバーＢ筒状スペース（３３）の下部に配置したコイルバネ（３７）が開閉バー（３６）の連結部付近を押し上げ、開閉バーの先端部（４０）は固定支点（４１）を介して下方向に押し下げられる。すると開閉バーの先端部（４０）は、本体Ｂ（２４）に設けた突起部（４２）でチューブ管（３１）を挟み込み、チューブ管（３１）を閉塞させ水を止める。なお固定支点（４１）は、開閉バーの先端部（４０）が、本体Ｂ（２４）に設けた突起部（４２）でチューブ管（３１）を挟み込み閉塞させる位置に設置されている。
（ヨ）本体Ｂ（２４）の表面に、水タンクＢ（２５）内の水位を確認できるよう水位確認用窓（４３）を設ける（図２参照）、又は一部又は全部に透明素材を用いて代用する。【０００８】  最後に、本体（１）Ａと本体Ｂ（２４）の接続及び使用方法について説明する。
（タ）本体Ａ（１）と本体Ｂ（２４）の接合部分は、上下折りたたみ式の携帯電話の形態を模して回転して開閉できるようにし、これらを接続具（４４）で接続する。また前記接合部の中央部分に、筒状の水タンク接続管（４５）を通し、水タンクＡ（１）と水タンクＢ（２４）を接続し、ひと繋がりの水タンクの状態とする。
（レ）以上の構成各部位は、適所に抗菌素材を使用する。
本発明は、以上のような構成より成り立っている。
本発明を使用するときは、二つに折りたたんである本体Ａ（１）と本体Ｂ（２４）を開く。注水口（３）から水タンクＡ（２）及び水タンクＢ（２５）の全体の８割から９割程注水し、キャップ（４）を閉めた後、ポンプつまみ部分（６）を数回上下させ、水タンクＡ（２）に空気を送り込み、水タンク内で空気を圧縮蓄える。噴水ノズル（２６）を収納スペースか回転させ取り出し使用位置へセットする。スイッチボタン（２１）を押すとタンク内で圧縮された空気が水を押し出し、噴水口（３２）から水が噴出される。使用後は、噴水ノズル（２６）を回転させ収納スペース（２７）に収納し、キャップ（４）を外し、注水口（３）から水タンクＡ（２）及び水タンクＢ（２５）内の水を排水し、本体Ａ（１）と本体Ｂ（２４）を二つに折りたたむ。【０００９】  次に、請求項２の実施の形態を説明する。
図３は、請求項２の一実施例を示すものであって、上下折りたたみ式携帯電話の形態を模した請求項１の構造を、上下合体し一体化したものである。したがって、請求項１と同一形態の各部位は、請求項１の名称を使用して説明する。
（ａ）本体Ｃ（４６）のほぼ中央に水タンクＣ（４７）を設け、この上部にネジ式の注水口（３）を設け、さらに注水口（３）にキャップ（４）を螺着する。
（ｂ）水タンクＣ（４７）の正面右側に簡易ピストン型空気ポンプの筒状スペース（５）を設ける。
（ｃ）この筒状スペース（５）は、携帯電話におけるアンテナ部分に見立てたポンプつまみ部分（６）の押圧により、前記水タンクＣ（４７）内に外気を注入し、タンク内の水を噴出させる空気ポンプ（１３）を装着させる部分となる。
（ｄ）前記空気ポンプ（１３）は、先端にゴムパッキン（７）を設けた円柱状又は直方体状のポンプ支柱（８）と、前記筒状スペース外側下部に開口させた空気取り入れ口（９）とこれに繋がる空気逆流防止弁（１０）、及び前記筒状スペースの内側で、前記水タンクＣ（４７）との接点であるその下部に水逆流防止弁（１１）と空気注入口（１２）とを設ける。また、前記ポンプ支柱（８）の上端には、空気ポンプの筒状スペース（５）から突出するように、携帯電話のアンテナの形態を模したポンプつまみ部分（６）が形成されている。
（ｅ）次に、水タンクＣ（４７）の正面左側に噴水スイッチ筒状スペース（１４）を設ける。
（ｆ）この筒状スペース（１４）には、飛出防止ストッパー（１５）を設けた円柱状又は直方体状のスイッチバーＣ（４８）とスイッチバーの軌道を安定させる為のガイド部（１７）を設け、スイッチバーＣ及び開閉バー（３６）の上下を調整する板バネまたはピンバネ（４９）を設ける部分となる。また、前記スイッチバーＣ（４８）の上端には、筒状スペース（１４）から突出する部分にコイルバネ（１９）とバネカバー（２０）を通したスイッチボタン（２１）が形成されている。
（ｇ）スイッチボタン（２１）を押すと、これに繋がるスイッチバーＣ（４８）を押し下げる。すると連結支点（３９）を介してスイッチバーＣに連結する開閉バー（３６）の先端部（４０）は、固定支点（４１）を介して上方向に押し上げられ、開閉バーの先端部（４０）と本体Ｃに設けた突起部（４２）で挟み込まれ閉塞していた、柔軟な素材のチューブ管（３１）を開放し、水を通過させる。また、前記スイッチボタン（２１）を離すと筒状スペース（１４）の下部に支点Ｃ（５０）を介して配置した板バネまたはピンバネ（４９）が開閉バー（３６）の連結部付近を押し上げ、開閉バーの先端部（４０）は固定支点（４１）を介して下方向に押し下げられ、本体Ｃに設けた突起部（４２）でチューブ管（３１）を挟み込み、管を閉塞させ水を止める。このとき固定支点（４１）は、開閉バーの先端部（４０）が、本体Ｃに設けた突起部（４２）でチューブ管（３１）を挟み込み閉塞させる位置に設置する。
（ｈ）つぎに、噴水スイッチの正面左側に、水を噴出する部分となる噴水ノズルＣ（５１）及びこの収納スペースＣ（５２）を設ける。
（ｉ）噴水ノズルＣ（５１）は、前記収納スペースに回転して収納できるよう接続部Ｃ（５３）は円筒形とし、ゴムパッキン（２９）を用いた円筒形の接続管（３０）と繋ぎ、さらに、この接続管（３０）をチューブ管（３１）で水タンクＣ（４７）に接続する。また噴水ノズル（５１）の内部は、筒状の空洞とし、水を噴出させる先端には任意の数及び大きさ及び形状の穴をあけた噴水口（３２）を設ける。
（ｊ）本体Ｃ（４６）の表面に、水タンクＣ（４７）内の水位を確認できるよう水位確認用窓Ｃ（５４）を設ける、又は一部又は全部に透明素材を用いて代用する。
（ｋ）以上の構成各部位は、適所に抗菌素材を使用する。
本発明を使用するときは、注水口（３）から水タンクＣ（４７）の全体の８割から９割程注水し、キャップ（４）を閉めた後、ポンプつまみ部分（６）を数回上下させ、水タンクＣ（４７）に空気を送り込み、水タンク内で空気を圧縮蓄える。噴水ノズルＣ（５１）を収納スペースＣ（５２）から回転して取り出し、使用位置へセットする。スイッチボタン（２１）を押すとタンク内で圧縮された空気が水を押し出し、噴水口（３２）から水が噴出される。使用後は、噴水ノズルＣ（５１）を回転して収納スペースＣ（５２）に収納し、キャップ（４）を外し、注水口（３）から水タンクＣ（４７）内の水を排水する。【００１０】  次に、本発明の請求項１または請求項２の技術の、前記とは異なる使い方について説明する。
この使い方は、水の噴出勢いや水量をコントロールしたい場合に使用する。先ず、前記と同様に注水してキャップ（４）を閉めた後、ポンプつまみ部（６）を上下させ空気を圧縮しないで、噴水ノズル（２６）または噴水ノズルＣ（５１）を収納スペース（２７）または収納スペースＣ（５２）から回転して取り出しセットする。準備が整ったらスイッチボタン（２１）を押したままポンプのつまみ部分（６）を上下させると、これに連動して噴水口（３２）から断続的に水を噴出させることができる。ポンプつまみ部（６）を早く強く上下させると、水は噴水口（３２）から勢いよく大量に噴出され、ポンプつまみ部（６）をゆっくり弱く上下させると、水は噴水口（３２）からゆるやかに少量噴出される。つまり、スイッチボタン（２１）の押圧を保持したまま、空気の注入を行うことになるので、水の噴出をより直接的に、ダイレクトにポンプつまみ部分（６）で制御できるものである。
【図面の簡単な説明】
【００１１】
【図１】  本発明の展開状態を示す透視正面図
【図２】  本発明の斜視図
【図３】  本発明の他の実施例における透視正面図
【符号の説明】
【００１２】      １    本体Ａ
２    水タンクＡ
３    注水口
４    キャップ
５    空気ポンプの筒状スペース
６    ポンプつまみ部分
７    ゴムパッキン
８    ポンプ支柱
９    空気取り入れ口
１０  空気逆流防止弁
１１  水逆流防止弁
１２  空気注入口
１３  空気ポンプ
１４  噴水スイッチ筒状スペース
１５  飛出防止ストッパー
１６  スイッチバーＡ
１７  ガイド部
１８  開口部Ａ
１９  コイルバネ
２０  バネカバー
２１  スイッチボタン
２２  噴水スイッチ
２３  水位確認用窓Ａ
２４  本体Ｂ
２５  水タンクＢ
２６  噴水ノズル
２７  収納スペース
２８  接続部
２９  ゴムパッキン
３０  接続管
３１  チューブ管
３２  噴水口
３３  スイッチバーＢ筒状スペース
３４  スイッチバーＢ
３５  ガイド部
３６  開閉バー
３７  コイルバネ
３８  開口部Ｂ
３９  連結支点
４０  先端部
４１  固定支点
４２  突起部
４３  水位確認用窓Ｂ
４４  接続具
４５  水タンク接続管
４６  本体Ｃ
４７  水タンクＣ
４８  スイッチバーＣ
４９  板バネまたはピンバネ
５０  支点Ｃ
５１  噴水ノズルＣ
５２  収納スペースＣ
５３  接続部Ｃ
５４  水位確認用窓Ｃ
【図１】
2005177429.tif 000003
【図２】
2005177429.tif 000004
【図３】
2005177429.tif 000005